(57)【要約】【課題】  梯子体の展開時の先端部分の迫り出しを少なくし、梯子体の取付部の強度の向上を図れるようにすること。【解決手段】  床、ベランダ等のスラブに設置される収納枠内に収納されるパンタグラフ式の梯子体１０と、収納枠３内に固定され、梯子体１０の最上部の縦桟１１と、縦桟１１と協働して４節平行リンク機構３０を構成する平行リンク２０とを回動可能に取り付ける梯子受け４とを具備する避難梯子装置において、梯子受け４に、梯子体１０の展開時に平行リンク２０を支持する平行リンク用ガイド片５０と、平行リンク２０の回動支軸２１を、縦桟１１の回転自由端側に移動可能に支承する軸受け４５とを設ける。ガイド片５０の上端部に、ガイド面５１に連なって内方側に向かって屈曲する円弧状ガイド部５２を形成する。軸受け４５に、平行リンク２０が円弧状ガイド部５２に接触して回動する動作に追従して回動支軸２１を案内するガイド孔部４７を形成する。【選択図】    図６
2005042482.tif 000002
【特許請求の範囲】
【請求項１】
床、ベランダ等のスラブに設けられた開口内に設置される収納枠と、この収納枠内に折り畳まれて収納されると共に、複数の縦桟をパンタグラフ状に連結してなる上下方向に伸縮可能な一対の伸縮体間に適宜間隔をおいて足掛け用横桟を架設してなる梯子体と、上記収納枠内に固定され、上記梯子体の最上部の縦桟と、この縦桟と協働して４節平行リンク機構を構成する平行リンクとを回動可能に取り付ける梯子受けとを具備する避難梯子装置であって、
上記梯子受けは、上記梯子体の展開時に上記平行リンクを所定の傾斜角度に支持する平行リンク用ガイド片と、上記平行リンクの回動支軸を、上記縦桟の回転自由端側に移動可能に支承する軸受けとを具備し、
上記ガイド片の上端部に、このガイド片のガイド面に連なって内方側に向かって屈曲する円弧状ガイド部を形成し、
上記軸受けに、上記平行リンクが上記円弧状ガイド部に接触して回動する動作に追従して上記回動支軸を案内するガイド孔部を形成してなる、ことを特徴とする避難梯子装置。
【請求項２】
請求項１記載の避難梯子装置において、
上記軸受けは、ガイド孔部の先端に連なって下方側に延在する非常位置用ガイド孔部を更に具備する、ことを特徴とする避難梯子装置。
【請求項３】
請求項１記載の避難梯子装置において、
上記梯子受けは、梯子体の展開時に最上部の縦桟を傾斜状に支持する縦桟用ガイド片を更に具備すると共に、この縦桟用ガイド片の下端部に、ガイド片のガイド面に連なって内方側に屈曲する収納ガイド部を形成してなる、ことを特徴とする避難梯子装置。
【請求項４】
請求項１又は３記載の避難梯子装置において、
上記梯子受けは、収納枠に固定される固定片と、この固定片の両端に互いに平行に突設されて縦桟と平行リンクを取り付ける一対の取付片と、両取付片の先端部を連結する足掛け兼用の補強枠とを具備してなる、ことを特徴とする避難梯子装置。
【発明の詳細な説明】
【技術分野】
【０００１】
この発明は避難梯子装置に関するもので、特に、集合住宅や事務所ビル等のベランダに設置される収納枠に取り付けて使用する折畳み式の避難梯子装置に関するものである。
【背景技術】
【０００２】
従来、この種の避難梯子装置としては、床、ベランダ等のスラブに設けられた開口内に設置される収納枠と、この収納枠内に折り畳まれて収納されると共に、複数の縦桟をパンタグラフ状に連結してなる上下方向に伸縮可能な一対の伸縮体間に適宜間隔をおいて足掛け用横桟を架設してなる梯子体と、上記収納枠内に固定され、上記梯子体の最上部の縦桟と、この縦桟と協働して４節平行リンク機構を構成する平行リンクとを回動可能に取り付ける梯子受けとを具備する構造のものが知られている（例えば、特許文献1参照）。
【０００３】
また、梯子体を所定の傾斜角度に規制するために、４節平行リンク機構を構成する縦桟と連接リンクとの連結部に梯子受けの垂直面に沿ってガイドするガイド部材を設けた構造が知られている（例えば、特許文献２参照）。
【特許文献１】登録実用新案第３００８２６６号公報（実用新案登録請求の範囲、図1）
【特許文献２】実公平６−３１１２０号公報（実用新案登録請求の範囲、第６図）
【発明の開示】
【発明が解決しようとする課題】
【０００４】
しかしながら、従来の避難梯子装置はいずれも平行リンクが、梯子受けに回転のみ可能な状態で取り付けられているため、梯子体の展開時に梯子体の先端部分（回転自由端部分）が円弧状の軌跡を描き、一度前方に迫り出してしまう。したがって、前方に壁等の障害物がある場合には設置できないという問題があった。また、展開後の梯子体下部に加わる水平力は平行リンクへの圧縮荷重に変換され、平行リンクの回動支軸へ剪断荷重として伝わるため、梯子体の破壊強度は平行リンク回動支軸の剪断力に大きく依存する構造であった。
【０００５】
また、ガイド部材を設けた構造においては、段数が増加するごとに梯子受けの厚み（ガイド位置）を変更する必要があるため、部品点数の増加が余儀なくされている。また、梯子体の下部へ加わる水平力は、ガイド部材を介して梯子受けへ伝えられるため、梯子受けの最終強度をガイド部材自体の剛性に依存する構造であった。
【０００６】
この発明は、上記事情に鑑みてなされたもので、梯子体の展開時の先端部分の軌跡の迫り出しを少なくし、平行リンク自体を強度部材として使用可能にすると共に、梯子体に不用意に加わる水平力や、梯子体の変形等により梯子体の展開角度が狭くなった際に、縦桟と分担して強度の向上を図れるようにした避難梯子装置を提供することを目的とするものである。
【課題を解決するための手段】
【０００７】
上記課題を解決するために、この発明の避難梯子装置は、床、ベランダ等のスラブに設けられた開口内に設置される収納枠と、この収納枠内に折り畳まれて収納されると共に、複数の縦桟をパンタグラフ状に連結してなる上下方向に伸縮可能な一対の伸縮体間に適宜間隔をおいて足掛け用横桟を架設してなる梯子体と、上記収納枠内に固定され、上記梯子体の最上部の縦桟と、この縦桟と協働して４節平行リンク機構を構成する平行リンクとを回動可能に取り付ける梯子受けとを具備する避難梯子装置を前提とし、  上記梯子受けは、上記梯子体の展開時に上記平行リンクを所定の傾斜角度に支持する平行リンク用ガイド片と、上記平行リンクの回動支軸を、上記縦桟の回転自由端側に移動可能に支承する軸受けとを具備し、  上記ガイド片の上端部に、このガイド片のガイド面に連なって内方側に向かって屈曲する円弧状ガイド部を形成し、  上記軸受けに、上記平行リンクが上記円弧状ガイド部に接触して回動する動作に追従して上記回動支軸を案内するガイド孔部を形成してなる、ことを特徴とする（請求項１）。
【０００８】
この発明において、上記軸受けに、ガイド孔部の先端に連なって下方側に延在する非常位置用ガイド孔部を更に設ける方が好ましい（請求項２）。
【０００９】
また、上記梯子受けに、梯子体の展開時に最上部の縦桟を傾斜状に支持する縦桟用ガイド片を更に設けると共に、この縦桟用ガイド片の下端部に、ガイド片のガイド面に連なって内方側に屈曲する収納ガイド部を形成する方が好ましい（請求項３）。
【００１０】
また、上記梯子受けは、上記平行リンクの回動支軸を縦桟の回転自由端側に移動可能に支承する軸受けと、上記梯子体の展開時に最上部の縦桟を所定の傾斜角度に支持するガイド片とを具備するか、あるいは、上記軸受けと、上記ガイド片と、梯子体の展開時に平行リンクを傾斜状に支持する平行リンク支持用ガイド片とを具備するものであれば、その形態は任意でよいが、好ましくは、梯子受けに、収納枠に固定される固定片と、この固定片の両端に互いに平行に突設されて縦桟と平行リンクを取り付ける一対の取付片と、両取付片の先端部を連結する足掛け兼用の補強枠とを設ける方がよい（請求項４）。
【発明の効果】
【００１１】
この発明の避難梯子装置は、上記のように構成されているので、以下のような効果が得られる。
【００１２】
（１）請求項１記載の発明によれば、床、ベランダ等のスラブに設けられた開口内に設置される収納枠内に固定される梯子受けに、梯子体の展開時に上記平行リンクを所定の傾斜角度に支持する平行リンク用ガイド片と、平行リンクの回動支軸を、縦桟の回転自由端側に移動可能に支承する軸受けとを設け、ガイド片の上端部に、このガイド片のガイド面に連なって内方側に向かって屈曲する円弧状ガイド部を形成する一方、軸受けに、平行リンクが円弧状ガイド部に接触して回動する動作に追従して回動支軸を案内するガイド孔部を形成することにより、梯子体を展開する際に、平行リンクがガイド片の円弧状ガイド部に沿って回動する動作に追従して平行リンクの回転半径を小さくすることができるので、梯子体の先端部が前方へ迫り出すのを防止することができる。したがって、前方に壁等の障害物がある場合の設置を可能にすることができる。
【００１３】
（２）請求項２記載の発明によれば、軸受けに、ガイド孔部の先端に連なって下方側に延在する非常位置用ガイド孔部を更に設けることにより、梯子体が展開した状態で、梯子体に水平力が作用した場合には、平行リンクが圧縮荷重を受けるが、平行リンクの回動支軸が非常位置用ガイド孔部内を移動可能になっているため、圧縮荷重を縦桟と分担して受けることができ、平行リンクの回動支軸への負荷を少なくすることができる。また、梯子体の変形等により梯子体の展開角度が狭くなった際の状態では、平行リンクは平行リンク用ガイド片にて保持されているため梯子体の傾斜角は変化しないので、平行リンクは下方に引張力を受け、回動支軸が非常位置ガイド孔部に移動して、引張荷重を縦桟と分担して受けることができ、平行リンクの回動支軸への負荷を少なくすることができる。したがって、梯子体の取付強度を向上させることができ、避難梯子装置の安全性と信頼性の向上を図ることができる。
【００１４】
（３）請求項３記載の発明によれば、梯子受けに、梯子体の展開時に最上部の縦桟を傾斜状に支持する縦桟用ガイド片を更に設けると共に、この縦桟用ガイド片の下端部に、ガイド片のガイド面に連なって内方側に屈曲する収納ガイド部を形成することにより、梯子体の展開時に最上部の縦桟と平行リンクの双方をガイド片で支持することができるので、上記（１）に加えて更に強度の向上を図ることができる。また、梯子体の収納時に縦桟が収納ガイド部によって案内されて収納枠内に収納されるので、万一、平行リンクに変形が生じても、最下段及びその近傍の縦桟の端部を収納ガイド部にて案内することができると共に、梯子体の収納姿勢を揃えることができる。
【００１５】
（４）請求項４記載の発明によれば、梯子受けに、収納枠に固定される固定片と、この固定片の両端に互いに平行に突設されて縦桟と平行リンクを取り付ける一対の取付片と、両取付片の先端部を連結する足掛け兼用の補強枠とを設けることにより、梯子受け自体に剛性をもたせることができると共に、補強枠を足掛けに使用することができる。したがって、上記（１）、（３）に加えて更に強度の向上が図れると共に、避難者を安全に非難させることができる。
【発明を実施するための最良の形態】
【００１６】
以下に、この発明の最良の実施形態を添付図面に基づいて詳細に説明する。
【００１７】
図１は、この発明に係る避難梯子装置の使用状態（展開状態）を示す斜視図、図２は、避難梯子装置の平面図、図３は、避難梯子装置の折畳み状態（収納状態）を示す側面図、図４は、避難梯子装置の使用（展開）の動作を示す側面図、図５は、避難梯子装置の要部を示す斜視図、図６は、避難梯子装置の展開状態を示す要部側面図である。
【００１８】
上記避難梯子装置は、複数の外側縦桟１１と内側縦桟１２をパンタグラフ状に連結してなる上下方向に伸縮可能な左右一対の伸縮体１３と、これら伸縮体１３間の外側縦桟の下端部に連結された複数の足掛け用横桟１４とからなる梯子体１０を具備している。なお、外側縦桟１１の上端部と内側縦桟１２の下端部とは図示しないピンによって回動自在に枢着（連結）され、外側縦桟１１の下端部近傍位置と内側縦桟１２上端部とは図示しないピンによって回動自在に枢着（連結）されている。
【００１９】
上記梯子体１０の最上部の外側縦桟１１は、床、ベランダ等のスラブ１に設けられたスラブ開口２にシール部材（図示せず）を介して嵌挿固定された収納枠３の内側面に固着された梯子受け４に枢支ピン１１ａを介して回動自在に枢着されている。
【００２０】
また、最上部の外側縦桟１１は、梯子受け４に一端が回動及び移動可能に取り付けられる平行リンク２０と共働して４節平行リンク機構３０を構成している。 この場合、最上部の外側縦桟１１と、平行リンク２０と、一端が最上部の外側縦桟１１にピン１５ａを介して枢着され、他端が２段目の外側縦桟１２の上端部にピン１５ｂを介して枢着され、かつ上端部側にピン１５ｃを介して平行リンク２０の先端部を枢着する連接リンク１６とで４節平行リンク機構３０が構成されている。
【００２１】
上記梯子受け４は、例えばスチール等の金属板を折曲してなり、収納枠３に固定ボルト（図示せず）をもって固定される固定片４０と、この固定片４０の両端に互いに平行に突設されて最上部の外側縦桟１１と平行リンク２０を取り付ける一対の取付片４１と、両取付片４１の先端部を溶接等の固定手段によって連結する足掛け兼用の補強枠４２とを具備している（図８〜図１０参照）。このように構成することにより、梯子受け４の強度を高めることができ、また、収納枠３に別途足掛け部を設ける必要がないので、構成部材の削減が図れる上、後述する緩降装置８の取付等の設置作業を容易にすることができる。
【００２２】
梯子受け４の取付片４１には、梯子体１０の展開時に平行リンク２０を所定の傾斜角度に支持する平行リンク用ガイド片５０が内方側に突設されており、また、取付片４１の外方側には梯子体１０の展開時に最上部の外側縦桟１１を傾斜状に支持する縦桟用ガイド片６０が突設されている。
【００２３】
この場合、平行リンク用ガイド片５０の上端部には、この平行リンク用ガイド片５０の傾斜状のガイド面５１の上端に連なって内方側に向かって屈曲する円弧状ガイド部５２が形成されている。また、縦桟用ガイド片６０は、上端から下方に向かって傾斜する傾斜ガイド面６１と、この傾斜ガイド面６１の下端から略垂直方向に折曲される垂直ガイド面６２と、この垂直ガイド面６２の下端部に、垂直ガイド面６２に連なって内方側に屈曲する円弧状の収納ガイド面６３が形成されている。
【００２４】
また、梯子受け４の取付片４１には、平行リンク２０の回動支軸２１を、最上部の外側縦桟１１の回転自由端側に移動可能に支承する軸受け４５が設けられている。この軸受け４５は、梯子体１０の折畳み状態（収納状態）のときに平行リンク２０の回動支軸２１が位置する基孔部４６と、平行リンク２０が円弧状ガイド部５２に接触して回動する動作に追従して回動支軸２１を案内するガイド孔部４７と、ガイド孔部４７の先端に連なって下方側に延在する非常位置用ガイド孔部４８とを具備する略へ字状に形成されている。
【００２５】
上記収納枠３には、スラブ開口２の床面側の上方蓋５と、スラブ１の真下の階における天井面側の下方蓋６とが開閉可能に枢着されている。これら上方蓋５及び下方蓋６は、リンク機構７を介して相互に連結されており、上方蓋５が上方に開放されると、この上方蓋５が直立姿勢を固定保持すると共に、下方蓋６が連動して自動的に下方に開放されるように構成されている。また、梯子受け４の固定片４０には、緩降装置８が設けられている。この緩降装置８は、図示していない巻取ドラムを内蔵したラチェット機構を具備しており、巻取ドラムに巻回されるワイヤロープ８ａが梯子体１０の下端側の内側縦桟１２間に架設されるワイヤ受け９にフック９ａを介して連結されている。この緩降装置８により、上方及び下方蓋５，６が開放されたとき、梯子体１０は制御されながら伸長下降し、またワイヤロープ８ａの巻取によって梯子体１０が引上げられて収納枠３内へ収納されるようになっている。 なお、上方蓋５の内側面には手掛け棒５ａが取り付けられている。
【００２６】
なお、外側縦桟１１と内側縦桟１２とは、スチール等の金属板を曲げ加工することによって例えば断面略クランク状に形成されている。 また、横桟１４は、スチール等の金属板を曲げ加工することによって例えば断面略コ字状に形成されており、開口部と対向する水平片１４ａには複数の滑止め用突起１４ｂが突設されている(図２参照)。
【００２７】
上記のように構成されるこの発明の避難梯子装置は、不使用時には、梯子体１０が、図３に示すように折り畳まれて収納枠３内に収納されている。このとき、平行リンク２０の回動支軸２１は、軸受け４５の基孔部４６に位置している。避難時には、上方蓋５が開放されると共に下方蓋６が開放した状態で、緩降装置８のレバー８ｂを操作して梯子体１０が展開される。このとき、最上部の外側縦桟１１は枢支ピン１１ａを支点として回動する一方、平行リンク２０は、図７に示すように、平行リンク用ガイド片５０の円弧状ガイド部５２に接触しつつ回動するので、この動作に追従して回動支軸２１がガイド孔部４７に移動する。したがって、図４に示すように、梯子体１０の展開時の梯子体１０の先端部の移動軌跡の前方への迫り出しを少なくすることができるので、前方に壁Ｗがある場合においても避難梯子装置の設置が可能となる。
【００２８】
梯子体１０が展開された状態では、最上部の外側縦桟１１は、縦桟用ガイド片６０の傾斜ガイド面６１にて所定の傾斜角度に保持されている。また、平行リンク２０は、平行リンク用ガイド片５０のガイド面５１にて保持され、回動支軸２１は、軸受け４５の非常位置用ガイド孔部４８に位置している(図６参照)。梯子体１０が展開された状態で、何らかの原因で梯子体１０に水平力Ｆが作用すると、平行リンク２０には圧縮荷重Ｌが作用するが、圧縮荷重Ｌによって回動支軸２１が非常位置用ガイド孔部４８から上方に移動することにより、水平力Ｆ（水平荷重）を平行リンク２０と外側縦桟１１とで分担する。したがって、水平力Ｆ（水平荷重）による平行リンク２０の回動支軸２１が受ける負荷を少なくすることができるので、梯子体１０の強度を向上させることができる。
【００２９】
また、梯子体１０が展開された状態において、梯子体１０に逆方向の水平力ＦＡが作用して、梯子体１０の変形等により梯子体１０の展開角度θ｛通常３０度｝が狭くなった際の状態では、平行リンク２０は平行リンク用ガイド片５０のガイド面５１にて保持されているため梯子体１０の傾斜角は変化しないので、平行リンク２０は下方に引張力ＬＡを受け、回動支軸２１が非常位置ガイド孔部４８に移動して、引張力ＬＡ（引張荷重）を平行リンク２０と外側縦桟１１と分担して受けることができ、平行リンク２０の回動支軸２１への負荷を少なくすることができる。
【００３０】
なお、使用時にかかる力については、平行リンク２０に対する曲げの力と平行リンク用ガイド片５０のガイド面５１に対する圧縮力となるので、回動支軸２１には大きな力がかからず、回動支軸２１が破壊する虞はない。
【００３１】
避難する場合は、避難者は、上方蓋５の内側面に取り付けられた手掛け棒５ａを持って梯子受け４の補強枠４２に足を掛けてから最上部の横桟１４に足を掛けて避難することができるため、避難者に恐怖感を与えることなく安全に避難させることができる。
【００３２】
また、梯子体１０を折畳む（収納）する場合には、縦桟１１，１２の端部が、縦桟用ガイド片６０の収納ガイド面６３によって案内されて垂直ガイド面６２に当接しながら折り畳まれるので、万一、平行リンク２０に変形が生じても、最下段及びその近傍の縦桟１１，１２の端部を収納ガイド部にて案内することができると共に、梯子体１０の収納姿勢を揃えることができる。更に、梯子体１０の段数が増えた場合においても、１種類の梯子受け４で対応することができるので、段数の異なる毎に梯子受け４を用意する必要がない。
【図面の簡単な説明】
【００３３】
【図１】この発明に係る避難梯子装置の使用状態（展開状態）を示す斜視図である。
【図２】上記避難梯子装置の一部を拡大断面で示す平面図である。
【図３】上記避難梯子装置の折畳み状態（収納状態）を示す側面図である。
【図４】上記避難梯子装置の使用状態（展開状態）を示す側面図である。
【図５】上記避難梯子装置の要部を示す斜視図である。
【図６】上記避難梯子装置の使用状態（展開状態）の要部を示す側面図である。
【図７】この発明における平行リンクの動作態様を示す側面図である。
【図８】この発明における梯子受けの平面図である。
【図９】上記梯子受けの正面図である。
【図１０】上記梯子受けの側面図である。
【符号の説明】
【００３４】
３  収納枠
４  梯子受け
１０  梯子体
１１  外側縦桟
１２  内側縦桟
１３  伸縮体
１４  足掛け用横桟
１６  連接リンク
２０  平行リンク
２１  回動支軸
３０  ４節平行リンク機構
４０  固定片
４１  取付片
４２  足掛け兼用補強枠
４５  軸受け
４６  基孔部
４７  ガイド孔部
４８  非常位置用ガイド孔部
５０  平行リンク用ガイド片
５１  ガイド面
５２  円弧状ガイド部
６０  縦桟用ガイド片
６１  傾斜ガイド面
６２  垂直ガイド面
６３  収納ガイド面
【図１】
2005042482.tif 000003
【図２】
2005042482.tif 000004
【図３】
2005042482.tif 000005
【図４】
2005042482.tif 000006
【図５】
2005042482.tif 000007
【図６】
2005042482.tif 000008
【図７】
2005042482.tif 000009
【図８】
2005042482.tif 000010
【図９】
2005042482.tif 000011
【図１０】
2005042482.tif 000012